【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
帯状フィルムの側縁部を重ね合わせて接合し筒状フィルムを成形する縦接合装置と；
内容物が充填された前記筒状フィルムに対して、前記重ね合わせた個所が片面に収まるように、前記筒状フィルムの長手方向に所定間隔毎の内容物の不在部を扁平に形成するしごき装置と；
前記不在部に前記長手方向に交差する方向でテープを重ねるテープ重合装置と；
前記テープを前記筒状フィルムに溶着しつつ、前記長手方向に間隔を持つ二つの位置で前記不在部を横断する線状の一次シール若しくは該二つの位置の間にわたり前記不在部を横断する帯状の一次シールを行う横接合装置と；
前記一次シールが行われた前記不在部の前記二つの位置の間を、前記一次シールの横断方向に集束する集束装置と；
前記集束装置で集束された不在部に、前記二つの位置の間で前記二つの位置とは異なる二つの位置で線状の二次溶着若しくは該二つの位置の間にわたり帯状の二次溶着を行う二次シール装置とを備える；
包装体製造装置。
【請求項２】
前記テープを重ねた側からエネルギーを加えて、前記一次シールを行う；
請求項１に記載の包装体製造装置。
【請求項３】
前記テープが、前記重ね合わせた箇所を覆う；
請求項１又は請求項２に記載の包装体製造装置。
【請求項４】
前記エネルギーが、超音波振動によるものである；
請求項２又は請求項３に記載の包装体製造装置。
【請求項５】
前記帯状フィルムを縦接合装置に供給する原反供給装置と；
前記筒状フィルムに内容物を充填する充填装置と；
前記筒状フィルムを長手方向に走行させる送り装置と；
前記二次シール装置で溶着した前記二つの位置の間で、前記筒状フィルムを切断する切断装置とを備える；
請求項１乃至請求項４のいずれか１項に記載の包装体製造装置。
【請求項６】
請求項１乃至請求項５のいずれか１項に記載の包装体製造装置で包装体を製造する方法であって；
前記包装体製造装置に内容物を供給し、前記筒状フィルムに前記内容物を充填する工程を備える；
包装体製造方法。
【請求項７】
帯状フィルムの側縁部を重ね合わせて接合し筒状フィルムを成形する縦接合工程と；
前記筒状フィルムに内容物を充填する充填工程と；
内容物が充填された前記筒状フィルムに対して、前記重ね合わせた箇所が片面に収まるように、前記筒状フィルムの長手方向に所定間隔毎の内容物の不在部を扁平に形成するしごき工程と；
前記不在部に前記長手方向に交差する方向でテープを重ねるテープ重合工程と；
前記テープを前記筒状フィルムに溶着しつつ、前記長手方向に間隔を持つ二つの位置で前記不在部を横断する線状の一次シール若しくは該二つの位置の間にわたり前記不在部を横断する帯状の一次シールを行う横接合工程と；
前記一次シールが行われた前記不在部の前記二つの位置の間を、前記一次シールの横断方向に集束する集束工程と；
前記集束工程で集束された不在部に、前記二つの位置の間で前記二つの位置とは異なる二つの位置で線状の二次溶着若しくは該二つの位置の間にわたり帯状の二次溶着を行う二次シール工程とを備える；
包装体製造方法。
【請求項８】
前記横接合工程は、前記テープを重ねた側から超音波エネルギーを加えて一次シールを行う；
請求項７に記載の包装体製造方法。
【請求項９】
前記テープ重合工程は、前記重ね合わせた箇所を覆うように前記テープを重ねる；
請求項７又は請求項８に記載の包装体製造方法。
【請求項１０】
内容物が充填され、端部がシールされると共に集束された筒状フィルムと；
前記筒状フィルムに充填され前記シールにより封入された内容物と；
前記筒状フィルムの端部に前記筒状フィルムに沿わせて配設され、前記端部のシールと共に前記筒状フィルムに溶着され、前記シールされた筒状フィルムの端部と共に集束されたテープとを備える；
包装体。
【請求項１１】
前記シールされた筒状フィルムの端部と共に集束されたテープは、前記端部のシールと共に前記筒状フィルムに溶着された位置に対し、筒状の長手方向で内容物と反対側でさらに前記シールされた筒状フィルムの端部と共に溶着される；
請求項１０に記載の包装体。
【手続補正２】
【補正対象書類名】明細書
【補正対象項目名】０００６
【補正方法】変更
【補正の内容】
【０００６】
上記の目的を達成するため、請求項１に記載の発明に係る包装体製造装置は、例えば図１に示すように、帯状フィルムＦの側縁部を重ね合わせて接合し筒状フィルムＦ１を成形する縦接合装置１３と；内容物Ｃが充填された筒状フィルムＦ１に対して、重ね合わせた個所Ｆｐが片面に収まるように、筒状フィルムＦ１の長手方向に所定間隔毎の内容物Ｃの不在部１５ｂを扁平に形成するしごき装置４０と；不在部１５ｂに筒状フィルムＦ１の長手方向に交差する方向でテープを重ねるテープ重合装置５０と；テープ５１を筒状フィルムＦ１に溶着しつつ、長手方向に間隔を持つ二つの位置Ｘ１、Ｘ２で不在部１５ｂを横断する線状の一次シール若しくは二つの位置Ｘ１、Ｘ２の間にわたり不在部１５ｂを横断する帯状の一次シールを行う横接合装置６１と；一次シールが行われた不在部１５ｂの二つの位置Ｘ１、Ｘ２の間を、一次シールの横断方向に集束する集束装置７１と；集束装置７１で集束された不在部１５ｂに、二つの位置Ｘ１、Ｘ２の間で二つの位置Ｘ１、Ｘ２とは異なる二つの位置Ｙ１、Ｙ２で線状の二次溶着若しくは二つの位置Ｙ１、Ｙ２の間にわたり帯状の二次溶着を行う二次シール装置７６とを備える。
【手続補正３】
【補正対象書類名】明細書
【補正対象項目名】０００７
【補正方法】変更
【補正の内容】
【０００７】
このように構成すると、テープの筒状フィルムへの溶着と筒状フィルムの一次シールとが同時に行われ、テープと共に一次シールが行われた筒状フィルムの部分が補強され、また、端部が集束されるので、扁平にして一次シールを施した部分に応力が集中することがなくなり、ピンホールの発生を抑制した包装体を製造する包装体製造装置となる。なお、「溶着」とは単にフィルム同士又はフィルムとテープとを溶かして着けることをいい、「シール」とは内容物を密封する目的でフィルム及び／又はテープを溶着することをいうものとする。通常は溶着してもシールされるとは限らないが、シールは溶着を伴う。
【手続補正４】
【補正対象書類名】明細書
【補正対象項目名】００１４
【補正方法】変更
【補正の内容】
【００１４】
また、請求項５に記載の発明に係る包装体製造装置は、例えば図１に示すように、請求項１乃至請求項４のいずれか１項に記載の包装体製造装置において、帯状フィルムＦを縦接合装置１３に供給する原反供給装置２０と；筒状フィルムＦ１に内容物Ｃを充填する充填装置３０と；筒状フィルムＦ１を長手方向に走行させる送り装置１４と；二次シール装置７６で溶着した二つの位置Ｙ１、Ｙ２の間で、筒状フィルムＦ１を切断する切断装置８１とを備える。
【手続補正５】
【補正対象書類名】明細書
【補正対象項目名】００１５
【補正方法】変更
【補正の内容】
【００１５】
このように構成すると、原料である帯状フィルムから製品であるピンホールの発生を抑制した包装体の製造までを１台の包装体製造装置で行うことができる。
【手続補正６】
【補正対象書類名】明細書
【補正対象項目名】００１６
【補正方法】変更
【補正の内容】
【００１６】
また、請求項６に記載の発明に係る包装体製造方法は、請求項１乃至請求項５のいずれか１項に記載の包装体製造装置で包装体を製造する方法であって；包装体製造装置に内容物Ｃを供給し筒状フィルムＦ１に内容物Ｃを充填する工程を備える。
【手続補正７】
【補正対象書類名】明細書
【補正対象項目名】００１７
【補正方法】変更
【補正の内容】
【００１７】
このように構成すると、内容物を充填した筒状フィルムにおいて、テープの筒状フィルムへの溶着と筒状フィルムの一次シールとが同時に行われ、テープと共に一次シールが行われた筒状フィルムの部分が補強されるので、ピンホールの発生を抑制した包装体を製造する包装体製造方法となる。
【手続補正８】
【補正対象書類名】明細書
【補正対象項目名】００１８
【補正方法】変更
【補正の内容】
【００１８】
前記の目的を達成するため、請求項７に記載の発明に係る包装体製造方法は、例えば図３及び適宜図１に示すように、帯状フィルムＦの側縁部を重ね合わせて接合し筒状フィルムＦ１を成形する縦接合工程ＳＴ１、ＳＴ２と；筒状フィルムＦ１に内容物Ｃを充填する充填工程ＳＴ３と；内容物Ｃが充填された筒状フィルムＦ１に対して、重ね合わせた箇所Ｆｐが片面に収まるように、筒状フィルムＦ１の長手方向に所定間隔毎の内容物Ｃの不在部１５ｂを扁平に形成するしごき工程ＳＴ４と；不在部１５ｂに筒状フィルムＦ１の長手方向に交差する方向でテープ５１を重ねるテープ重合工程ＳＴ５と；テープ５１を筒状フィルムに溶着しつつ、長手方向に間隔を持つ二つの位置Ｘ１、Ｘ２で不在部１５ｂを横断する線状の一次シール若しくは二つの位置Ｘ１、Ｘ２の間にわたり不在部１５ｂを横断する帯状の一次シールを行う横接合工程ＳＴ６と；一次シールが行われた不在部１５ｂの二つの位置Ｘ１、Ｘ２の間を、一次シールの横断方向に集束する集束工程ＳＴ７と；集束工程ＳＴ７で集束された不在部１５ｂに、二つの位置Ｘ１、Ｘ２の間で二つの位置Ｘ１、Ｘ２とは異なる二つの位置Ｙ１、Ｙ２で線状の二次溶着若しくは該二つの位置Ｙ１、Ｙ２の間にわたり帯状の二次溶着を行う二次シール工程ＳＴ８とを備える。
【手続補正９】
【補正対象書類名】明細書
【補正対象項目名】００１９
【補正方法】変更
【補正の内容】
【００１９】
このように構成すると、テープの筒状フィルムへの溶着と筒状フィルムの一次シールとが同時に行われ、テープの溶着と一次シールが行われた筒状フィルムの部分が補強されるので、ピンホールの発生を抑制した包装体を製造する包装体製造方法を提供できる。
【手続補正１０】
【補正対象書類名】明細書
【補正対象項目名】００２０
【補正方法】変更
【補正の内容】
【００２０】
また、請求項８に記載の発明に係る包装体製造方法は、請求項７に記載の包装体製造方法において、横接合工程ＳＴ６は、テープ５１を重ねた側から超音波エネルギーを加えて一次シールを行う。
【手続補正１１】
【補正対象書類名】明細書
【補正対象項目名】００２１
【補正方法】変更
【補正の内容】
【００２１】
このように構成すると、テープを重ねた側から超音波エネルギーを加えるので、一次シールされる部分の筒状フィルムがテープによって保護され、ピンホールの発生が抑制され、かつ、一次シールが短時間で完了する包装体製造方法となる。
【手続補正１２】
【補正対象書類名】明細書
【補正対象項目名】００２２
【補正方法】変更
【補正の内容】
【００２２】
また、請求項９に記載の発明に係る包装体製造方法は、請求項７又は請求項８に記載の包装体製造方法において、テープ重合工程ＳＴ５は、重ね合わせた箇所Ｆｐを覆うようにテープ５１を重ねる。
【手続補正１３】
【補正対象書類名】明細書
【補正対象項目名】００２３
【補正方法】変更
【補正の内容】
【００２３】
このように構成すると、テープが重ね合わせた箇所を覆うので、ピンホールが発生し易いテープが重ね合わせた箇所を補強する包装体製造方法となる。
【手続補正１４】
【補正対象書類名】明細書
【補正対象項目名】００２４
【補正方法】変更
【補正の内容】
【００２４】
前記の目的を達成するため、請求項１０に記載の発明に係る包装体は、例えば図４に示すように、内容物Ｃが充填され、端部がシールされると共に集束された筒状フィルムＦ１と；筒状フィルムＦ１に充填されシールにより封入された内容物Ｃと；筒状フィルムＦ１の端部に筒状フィルムＦ１に沿わせて配設され、端部のシールと共に筒状フィルムＦ１に溶着され、シールされた筒状フィルムＦ１の端部と共に集束された上で、さらに溶着されたテープ５１とを備える。
【手続補正１５】
【補正対象書類名】明細書
【補正対象項目名】００２５
【補正方法】変更
【補正の内容】
【００２５】
このように構成すると、筒状フィルムのシール部がテープで保護されているのでピンホールの発生が抑制された包装体となる。
【手続補正１６】
【補正対象書類名】明細書
【補正対象項目名】００２６
【補正方法】変更
【補正の内容】
【００２６】
また、請求項１１に記載の包装体では、例えば図２に示すように、請求項１０に記載の包装体において、シールされた筒状フィルムの端部と共に集束されたテープ５１は、端部のシールＳ１と共に筒状フィルムに溶着された位置に対し、筒状の長手方向で内容物と反対側Ｓ２でさらにシールされた筒状フィルムの端部と共に溶着される。
【手続補正１７】
【補正対象書類名】明細書
【補正対象項目名】００２７
【補正方法】変更
【補正の内容】
【００２７】
このように構成すると、端部が集束されるので、扁平にして一次シールを施した部分に応力が集中することがなくなり、ピンホールの発生を抑制した包装体となる。